(57)【要約】【課題】容易に視聴中以外の番組内容を把握できるようにする。【解決手段】視聴するチャンネルを受信するデジタル放送用チューナと、デジタル放送用チューナで受信していない、すなわち視聴していないチャンネルを巡回的に受信するワンセグメント放送用チューナとをそれぞれ有するテレビジョン受信装置である。番組視聴時はデジタル放送用チューナで受信した番組を表示部に表示し、チャンネル選択時にはデジタル放送の番組を表示する主画面上に、ワンセグメント放送用チューナで受信した視聴チャンネル以外の番組の静止画像を副画面として表示する。静止画像は、各チャンネル順に更新される。また、副画面表示後に、ワンセグメント放送用チューナが受信するチャンネルを固定し、副画面上で動画像を表示するようにすることもできる。【選択図】図１
2009253875.tif 000002
【特許請求の範囲】
【請求項１】
複数のチャンネルのワンセグメント放送を巡回して選局受信する１または複数のワンセグメント放送選局部と、
指示されたチャンネルのデジタル放送を選局受信するデジタル放送選局部と、
上記ワンセグメント放送選局部が受信した複数のワンセグメント映像信号からそれぞれ形成した複数の画像と、上記デジタル放送選局部が受信したデジタル映像信号とを出力する画像処理部と、
出力された複数の上記画像を順に上記複数のチャンネル毎に記憶し、出力する記憶部と、
上記デジタル放送選局部で受信した動画像を表示し、上記デジタル放送選局部で選局するチャンネルを選択する際に、上記デジタル放送選局部で受信した上記動画像とともに上記ワンセグメント放送選局部で受信した複数の上記画像をそれぞれ表示する表示部と
を備えるテレビジョン受信装置。
【請求項２】
上記画像が静止画像であり、該静止画像が上記複数のチャンネル毎に順次更新されて上記表示部に表示される
請求項１に記載のテレビジョン受信装置。
【請求項３】
上記画像が静止画像および上記ワンセグメント放送選局部で受信した動画像であり、該動画像が上記表示部に表示され、
上記静止画像が固定的、もしくは順次更新されて上記表示部に表示される
請求項１に記載のテレビジョン受信装置。
【請求項４】
上記ワンセグメント放送選局部で受信した動画像もしくは複数の上記静止画像が、上記デジタル放送選局部で受信した動画像上に表示される
請求項２または請求項３に記載のテレビジョン受信装置。
【発明の詳細な説明】
【技術分野】
【０００１】
この発明は、テレビジョン受信装置に関し、リアルタイムで放送を受信している最中にチャンネル切り替えを行う際に、放送中の複数のチャンネルの番組内容を容易に把握できるようにしたテレビジョン受信装置に関する。
【背景技術】
【０００２】
テレビジョン番組の視聴中において、放送中の他のテレビジョン番組の中から所望の番組を選択するために、リモートコントローラのコマンダを操作して放送中の番組を順次切り替える操作が行われる。この場合、各番組内容をすばやく把握できることが重要である。ところが、デジタルテレビジョン放送を受信するデジタルチューナでは、ＭＰＥＧ２方式の信号の復号に時間がかかり、チャンネルを切り替えた場合に、１フレームが入力されるまで受信チャンネルの内容を表示することができない。
【０００３】
そこで、以下の特許文献１のような、２つのチューナを有し、一方のチューナによって視聴するテレビジョン放送を受信し、他方のチューナによって複数のテレビジョン放送を順次繰り返して受信するようにし、他方のチューナで受信した複数チャンネルのテレビジョン放送の信号をそれぞれ記憶して、スイッチを切り替えることにより複数のチャンネルの静止画像をマルチ画面表示できるようにしたテレビジョン受像機が知られている。
【特許文献１】特開平６−５１２６９号公報
【０００４】
特許文献１のような構成とすることにより、番組を視聴中に、視聴中の番組以外の番組の受信画像を縮小して静止画像を作成し、複数チャンネルの静止画像によりマルチ画面を形成することが可能となる。このため、スイッチにより瞬時にマルチ画面に切り替えることが可能となり、多チャンネルの内容を確認することができる。
【発明の開示】
【発明が解決しようとする課題】
【０００５】
しかしながら、例えば地上デジタルテレビジョン放送を受信する際に特許文献１の構成を有するテレビジョン受像機を用いた場合、地上デジタルテレビジョン放送（１２セグメント）受信用のチューナおよび処理回路を２系統以上有することになる。このため、受信するデータ量が多くなり、画像処理部の構成が煩雑となってしまう。
【０００６】
したがって、この発明は、上記問題点を解消し、チャンネル切り替えを行う際に放送中の複数のチャンネルの番組内容を容易に把握できるテレビジョン受信装置を提供することを目的とする。
【課題を解決するための手段】
【０００７】
上記課題を解決するために、この発明は、複数のチャンネルのワンセグメント放送を巡回して選局受信する１または複数のワンセグメント放送選局部と、
指示されたチャンネルのデジタル放送を選局受信するデジタル放送選局部と、
ワンセグメント放送選局部が受信した複数のワンセグメント映像信号からそれぞれ形成した複数の画像と、デジタル放送選局部が受信したデジタル映像信号とを出力する画像処理部と、
出力された複数の画像を順に複数のチャンネル毎に記憶し、出力する記憶部と、
デジタル放送選局部で受信した動画像を表示し、デジタル放送選局部で選局するチャンネルを選択する際に、デジタル放送選局部で受信した動画像とともにワンセグメント放送選局部で受信した複数の画像をそれぞれ表示する表示部と
を備えるテレビジョン受信装置である。
【０００８】
この発明は、画像が静止画像であり、静止画像が複数のチャンネル毎に順次更新されて表示部に表示されるように構成される。
【０００９】
また、この発明は、画像が静止画像およびワンセグメント放送選局部で受信した動画像であり、動画像が表示部に表示され、静止画像が固定的、もしくは順次更新されて表示部に表示されるように構成してもよい。
【００１０】
さらに、この発明は、ワンセグメント放送選局部で受信した動画像もしくは複数の静止画像が、デジタル放送選局部で受信した動画像上に表示されるように構成してもよい。
【００１１】
この発明では、簡易な画像処理装置で視聴中のチャンネル以外の複数チャンネルの番組内容を静止画像および／または動画で表示することができる。また、視聴中でない複数の番組内容を表示する静止画像および／または動画は、ワンセグメント放送用のデータであり、副画面表示に際して圧縮処理を行わずに用いることができる。
【発明の効果】
【００１２】
この発明によれば、チャンネル切り替えを行う際に放送中の複数のチャンネルの番組内容を容易に把握できる。また、副画面における画表示に伴う画像処理を効率的に行うことができ、画像処理部に処理能力の低い装置を用いることもできる。
【発明を実施するための最良の形態】
【００１３】
以下、この発明の一実施形態について図面を参照しながら説明する。
【００１４】
以下、図面を参照しながらこの発明の一実施の形態について説明する。この一実施の形態は、例えばテレビジョン受信装置であり、図１に示す構成を有している。この発明では、テレビジョン受信装置１は、視聴したい番組ついてはフルセグメント（１２セグメント）を用いるハイビジョン放送（以下、ＨＤ（High Definition）放送と適宜称する）もしくは４セグメントを用いるＳＤ(Standard Definition)放送を受信する。また、視聴中以外の番組についてはワンセグメント放送を受信する。そして、例えばリモートコントローラ（図示せず）を用いた選局時には現在視聴中の番組が表示された主画面上に、他の番組を副画面として表示させるようにしている。
【００１５】
テレビジョン受信装置１は、各放送局から送信される地上デジタルテレビジョン放送（ＨＤ放送もしくはＳＤ放送ならびにワンセグメント放送）電波を受信する受信アンテナ２を有している。また、ワンセグメント放送を選局可能なチューナ３と、ＨＤ放送およびＳＤ放送を選局可能なチューナ４が設けられており、チューナ３および４でそれぞれ選局されたチャンネルの地上デジタルテレビジョン放送電波を受信アンテナ２で受信する。
【００１６】
チューナ３は、選局部としての機能を発揮するために、ＲＦ（Radio Frequency；高周波）受信部３ａ、ワンセグメント放送データ処理部３ｂを有する。ワンセグメント放送データ処理部３ｂは、例えば映像復号部、音声復号部および誤り訂正部等を有する。
【００１７】
チューナ４は、チューナ３と同様に選局部としての機能を発揮するために、ＲＦ（Radio Frequency；高周波）受信部４ａ、ＨＤ／ＳＤ放送データ処理部４ｂを有する。ＨＤ／ＳＤ放送データ処理部４ｂは、例えば映像復号部、音声復号部および誤り訂正部等を有する。
【００１８】
チューナ４は、図示しない制御部によって例えばリモートコントローラのコマンダ操作で指定されたチャンネルを選局してＨＤ／ＳＤ放送データを受信するように制御されている。また、チューナ３は、図示しない制御部によって、各チャンネルの映像信号の一部を記憶するために複数のチャンネルを巡回的に受信するように制御される。チューナ３は、チューナ４で視聴されているチャンネル以外のチャンネルを巡回して選局するものであり、例えば７個のチャンネルを順に選局する。すなわち、チューナ４は視聴する番組の映像／音声信号を選局するためのものである。また、チューナ３は、視聴する番組以外の番組の映像／音声信号を選局するためのものである。
【００１９】
チューナ３および４で受信されているチャンネル（サービス）の映像信号が出力される。チューナ３および４から出力された映像信号が表示画像処理部５に対して入力される。このとき、チューナ４で受信されている主番組を視聴中の場合には、表示画像処理部５は、チューナ４で受信された番組の映像信号を表示部６に出力する。そして、表示画像処理部５では、チューナ３で巡回的に選局された現在視聴されていない副番組の映像信号（ワンセグメント放送データ）から副番組の静止画像を取得し、記憶部７に出力する。このとき、ワンセグメント放送の画素数は（３２０×２４０）／（３２０×１８０）と小さいため、圧縮を行わずにそのまま記憶部７に出力することができる。また、必要に応じて圧縮処理を行う構成としておくことも可能である。
【００２０】
表示部６は、ＬＣＤ（Liquid Crystal Display）等のフラットディスプレイ、ブラウン管等の表示素子を使用したものである。
【００２１】
記憶部７では、入力された静止画像を記憶する。記憶部７では、所定の枚数、もしくはデータ量となるまで入力された静止画像を記憶しても良いし、新たな静止画像が入力された場合は、同一のチャンネルの静止画像を順次上書きしていくようにしてもよい。
【００２２】
また、チャンネル切り替えを行う際には、表示画像処理部５は、チューナ４で受信された主番組の映像信号を表示部６に出力する。また、表示画像処理部５は、記憶部７に記憶された副番組の静止画像を表示画像処理部５を介して表示部に出力する。このとき、チューナ４で受信された映像信号と、記憶部７から出力された映像信号は、例えば表示画像処理部５において合成されて表示部６に出力される。表示部６では、例えば図２に示すように、いわゆるＰｉｎＰ（Picture in Picture）とよばれる２画面表示の態様で映像を表示する。図２では、視聴中の主番組を主画面１１に表示し、視聴中以外の複数の副番組の静止画像を主画面１１上に副画面１２ａないし１２ｇとして表示する。
【００２３】
ＰｉｎＰは、表示部６の表示画面の一部の領域に副画面１２ａないし１２ｇを設け、この副画面以外の領域を主画面１１とし、副画面１２ａないし１２ｇと主画面１１のそれぞれに独立に映像を表示するようにしたものである。この一実施の形態においては、視聴中の主番組、すなわちチューナ４からの映像信号による映像が主画面１１に、チューナ３からの映像信号から得た静止画像による映像が副画面１２ａないし１２ｇに表示するようにされる。そして、チューナ３で受信したワンセグメント放送の映像信号から各チャンネルの静止画像が得られる毎に、もしくは例えば所定間隔で記憶部７から静止画像が出力される毎に、各副画面１２ａないし１２ｇのうち対応する副画面を更新する。これにより、例えば数十秒毎に各副画面１２ａないし１２ｇそれぞれの静止画像が更新されるため、視聴中以外の番組の内容を比較的リアルタイムに近い状態で確認することができる。
【００２４】
静止画像が表示された副画面１２ａないし１２ｇは、表示部６上で例えばカーソル１３等により選択可能とされる。副画面１２ａないし１２ｇのいずれかの選択は、リモートコントローラやテレビジョン受信装置１の入力部（図示せず）等を操作することにより行われる。そして、所望の副画面を選択した後、リモートコントローラやテレビジョン受信装置１の入力部等により決定操作がなされると、チューナ４は選択された副画面に表示された静止画像を取り込んだ番組が放送されているチャンネルを受信するように制御され、主画面１１には上記操作により選択された番組が表示される。また、チューナ３は、チューナ４で受信中のチャンネル以外の複数のチャンネルを巡回的に受信するように新たに制御される。
【００２５】
このとき、カーソル１３等によって１つの副画面が選択された場合、決定操作がなされるまでの間は選択された副画面上で動画像表示を行うこともできる。例えば、カーソル１３が副画面１２ｃを選択し、所定時間（例えば２秒）カーソルが副画面１２ｃを選択し続けた場合、チューナ３は選択された副画面１２ｃに対応するチャンネルの放送を選局して固定される。そして、次にカーソル１３が他の副画面１２ａ，１２ｂ，１２ｄないし１２ｇのいずれかを選択するまでの間、チューナ３で受信したワンセグメント放送の受信を継続し、副画面１２ｃ上で動画像を表示するようにできる。
【００２６】
このような構成とすることにより、興味のある番組の内容をリアルタイムで確認することができ、視聴中のチャンネル以外の番組の内容を容易に知ることができる。
【００２７】
なお、副画面１２ａないし１２ｇはチャンネル切り替えを行う際に表示されるものである。副画面１２ａないし１２ｇは、例えばリモートコントローラのチャンネルボタンまたはリモートコントローラのいずれかのボタン、もしくは副画面表示用に設けた専用のボタンが操作された場合に表示されるようにする。また、常時副画面１２ａないし１２ｇが表示されるようにすることもできる。これらは、ユーザにより設定可能とされることが好ましい。
【００２８】
また、副画面１２ａないし１２ｇは必ずしも主画面１１に対してＰｉｎＰ表示する必要はない。例えば、図３に示すように、副画面１２ａないし１２ｇを表示する場合には主画面１１のサイズを変更（縮小）した主画面１１ａを表示し、主画面１１ａの表示されていない部分に副画面１２ａないし１２ｇを表示するようにすることもできる。
【００２９】
チューナ４で受信されているチャンネル（サービス）の音声信号が出力される。チューナ４から出力された音声信号が音声出力部８に対して入力される。音声出力部８では、表示部６に表示された映像信号に適した音声信号を出力する。
【００３０】
なお、上述の一実施の形態では、チューナ３がテレビジョン受信装置１の機器内に一体的に設けられているが、必ずしもこのような構成とする必要はない。例えば、図４もしくは図５に示すように、ワンセグメント放送を受信可能な携帯端末２２もしくはワンセグメント放送受信専用チューナ３２等を、ＨＤ／ＳＤ放送を受信可能なテレビジョン受信装置２１または３１に接続し、有線または無線で映像／音声信号がテレビジョン受信装置に供給される構成も可能である。接続は、ＵＳＢ（Universal Serial Bus）、有線もしくは無線ＬＡＮ（Local Area Network）あるいはＢｌｕｅｔｏｏｔｈ等を用いることができる。なお、図４および図５において、図１と同様の構成を有する部分には同一の符号を付す。また、２ａおよび２ｂは受信アンテナである。
【００３１】
例えば、ＤＬＮＡ(Digital Living Network Alliance)のようなホームネットワーク経由でチューナから映像／音声信号をテレビジョン受信装置に対して伝送する構成も可能である。また、光ディスクレコーダ等の記録装置と関連してこの発明によるテレビジョン受信装置を設けても良い。
【００３２】
また、上述の一実施の形態では、主番組の音声のみがテレビジョン受信装置１の音声出力部８から出力されるような構成としているが、例えばチューナ３から音声出力部８に対して音声信号を出力可能に構成してもよい。例えば副画面中において動画像表示を行った場合に主画面の音声をＯＦＦとし、副画面に表示された動画の音声を音声出力部８から出力するようにすることができる。このような構成は、例えば主画面の番組がコマーシャル中である場合などに特に効果的であり、より他チャンネルの番組内容を把握しやすくすることができる。
【００３３】
次に、この発明の一実施の形態によるテレビジョン受信装置１の動作について説明する。なお、以下では、図２のように、リモートコントローラのチャンネル選択ボタンを押した場合に副画面１２ａないし１２ｇが表示され、カーソル１３が２秒以上同じ副画面を選択した場合には、選択された副画面において動画像表示を行う場合の動作と、チューナ３および４の動作について説明する。
【００３４】
まず、図６において、テレビジョン受信装置１の電源がＯＮされると、ステップＳ１１のように、ＨＤ／ＳＤ放送を受信するチューナ４でＨＤ／ＳＤ放送が受信される。また、ステップＳ２１のように、ワンセグメント放送を受信するチューナ３で、チューナ４で受信されているチャンネル以外の複数のチャンネルのワンセグメント放送が巡回的に受信される。そして、ステップＳ１のように、受信されたＨＤ／ＳＤ放送の映像信号がテレビジョン受信装置１の表示部６に表示される。また、これと並行してワンセグメント放送の映像信号から静止画像を得て記憶部７に記憶される。
【００３５】
次に、ステップＳ２において、チャンネル選択ボタンがＯＮされることによりリモートコントローラから送信されるチャンネル選択信号を受信したか否かを判断し、チャンネル選択信号を受信していない場合は現在視聴中の番組の主画面表示が継続される。また、チャンネル選択信号を受信した場合には、ステップＳ３のように、現在視聴中の番組が表示された主画面１１上に複数の副画面１２ａないし１２ｇが表示される。副画面１２ａないし１２ｇには、記憶部７に記憶された静止画像がチャンネル毎に表示される。副画面１２ａないし１２ｇには、記憶部７に記憶された最新の静止画像が表示される。
【００３６】
また、記憶部７において、１つのチャンネルについて複数の静止画像が記憶されている場合は、記憶部７に記憶された静止画像の古い順に副画面１２ａないし１２ｇのそれぞれに表示して所定時間毎に更新するようにしてもよい。この場合、記憶されている静止画像の更新を、チューナ３にける静止画像の取得周期よりも早くし、副画面１２ａないし１２ｇ上で更新される静止画像が取得される静止画像に追いついた場合には、取得した静止画像を取得周期で更新するようにしてもよい。
【００３７】
続いて、副画面１２ａないし１２ｇのいずれかを選択するカーソル１３を移動させる。そして、ステップＳ４において、ある副画面（例えば副画面１２ｃ）を選択してから所定時間以上、例えば２秒以上カーソル１３の移動がなかったかを判断する。ステップＳ４において、カーソル１３が２秒以内に移動されたと判断された場合には、副画面１２ａないし１２ｇのそれぞれにおいて静止画像の表示および更新を継続する。また、カーソル１３が２秒以上移動していないと判断した場合は、ステップＳ５のように、カーソル１３によって選択された副画面１２ｃの番組内容を動画によって表示するようにする。カーソル１３の移動は、リモートコントローラまたはテレビジョン受信装置１の入力部の操作によって行われる。
【００３８】
このとき、チューナ３では、ステップＳ２２のように各チャンネルの巡回的な受信を停止し、選択された副画面１２ｃに対応するチャンネルを固定的に受信するように制御される。選択された副画面１２ｃでは、チューナ３で選局されたワンセグメント放送が動画像表示される。
【００３９】
そして、ステップＳ６において、カーソル１３で選択された副画面１２ｃにチャンネルを変更する、すなわちリモートコントローラ等で決定ボタンが押されることによってリモートコントローラから送信されるチャンネル決定信号を受信したか否かを判断する。ステップＳ６においてチャンネル決定信号を受信していないと判断した場合には、副画面１２ｃでの動画像表示を継続する。このとき、カーソル１３の移動が行われた場合には、チューナ３によって複数チャンネルの巡回的な受信が再開され、再度全ての副画面１２ａないし１２ｇにおいて静止画の表示および更新が行われる。
【００４０】
ステップＳ６においてチャンネル決定信号を受信したと判断した場合には、ステップＳ１２のように、チューナ４がカーソル１３により選択された副画面１２ｃに対応するチャンネルのＨＤ／ＳＤ放送を受信するように制御される。そして、ステップＳ１３において新たに視聴したいチャンネルのＨＤ／ＳＤ放送を受信すると、ステップＳ７において主画面１１に表示される番組が切り替えられる。また、これと並行して、ステップＳ２３においてチューナ３が新たにチューナ４で選局されたチャンネル以外の複数のチャンネルを巡回的に選局するように制御される。チューナ３で受信した各チャンネルのワンセグメント放送の静止画像が順に記憶部７に記憶される。
【００４１】
このような動作が、テレビジョン受信装置１の電源がＯＦＦされるまで継続される。また、再度テレビジョン受信装置１の電源をＯＮした場合、チューナ４は前回電源がＯＦＦされるまでに選局されていたチャンネルのＨＤ／ＳＤ放送を受信する。テレビジョン受信装置１の電源がＯＮされてから所定の時間が経過するまでは、全ての副画面１２ａないし１２ｇの静止画像の取得が終了しない。このため、例えば、テレビジョン受信装置１の電源をＯＮしてから所定の時間が経過するまでは、静止画像の取得が行われたチャンネルから順に対応する副画面に静止画像を表示する。静止画像の取得が行われていないチャンネルに対応する副画面には、予め記憶部７に記憶された所定の画像を表示するようにするか、もしくは例えば黒一色の画像を表示するようにすることができる。
【００４２】
上述の一実施の形態において挙げた構成は、ＨＤ放送とワンセグメント放送との間で同一の放送がなされている場合、すなわちサイマル放送が行われている場合に用いることができる。
【００４３】
この発明では、視聴中のチャンネル以外のチャンネルの番組内容を静止画像もしくは動画像表示するために、２つのチューナを設け、一方をＨＤ放送を受信可能なチューナとし、他方をワンセグメント放送を専用で受信可能なチューナとした。このため、副画面における静止画像もしくは動画像表示に伴う画像処理を効率的に行うことができる。また、画像処理部に処理能力の低い装置を用いることも可能となる。
【００４４】
さらに、ワンセグメント放送受信専用のチューナは、ＨＤ放送受信可能なチューナよりもコストが低いため、２以上のＨＤ放送受信可能なチューナを持つよりも低いコストでテレビジョン受信装置を作製することができる。
【００４５】
以上、この発明の一実施の形態について具体的に説明したが、この発明は、上述の実施形態に限定されるものではなく、この発明の技術的思想に基づく各種の変形が可能である。
【００４６】
例えば、上述の一実施の形態において挙げた構成は、ワンセグメント放送受信用の回路を一系統持つものであるが、ワンセグメント放送受信用の回路を複数系統、例えば２系統持つようにしてもよい。これにより、静止画像の更新周期を短くしたり、カーソルで選択した副画面において動画像表示を行い、並行して他の副画面で静止画像の更新を継続する構成とすることができる。
【００４７】
また、上述の一実施の形態において挙げた構成は、副画面が７つ表示されるようにしているが、地域や契約状況により受信可能なデジタル放送のチャンネル数は異なるため、これに限定されるものではない。副画面は、例えば受信可能なデジタル放送のチャンネル数よりも１つ少ない画面数とされる。
【図面の簡単な説明】
【００４８】
【図１】この発明の一実施の形態にかかるテレビジョン受信装置の一構成例を示すブロック図である。
【図２】この発明の一実施の形態にかかるテレビジョン受信装置の表示部の一表示例を示す略線図である。
【図３】この発明の一実施の形態にかかるテレビジョン受信装置の表示部の他の表示例を示す略線図である。
【図４】この発明の一実施の形態にかかるテレビジョン受信装置の他の構成例を示すブロック図である。
【図５】この発明の一実施の形態にかかるテレビジョン受信装置の他の構成例を示すブロック図である。
【図６】この発明の一実施の形態にかかるテレビジョン受信装置の動作を説明するフローチャートである。
【符号の説明】
【００４９】
１，２１，３１・・・テレビジョン受信装置
２，２ａ，２ｂ・・・受信アンテナ
３，４・・・チューナ
３ａ，４ａ・・・ＲＦ受信部
３ｂ・・・ワンセグメント放送データ処理部
４ｂ・・・ＨＤ／ＳＤ放送データ処理部
５・・・表示画像処理部
６・・・表示部
７・・・記憶部
８・・・音声出力部
１１，１１ａ・・・主画面
１２ａ〜１２ｇ・・・副画面
２２・・・携帯端末
３２・・・ワンセグメント放送受信専用チューナ
【図１】
2009253875.tif 000003
【図２】
2009253875.tif 000004
【図３】
2009253875.tif 000005
【図４】
2009253875.tif 000006
【図５】
2009253875.tif 000007
【図６】
2009253875.tif 000008